(57)【要約】      （修正有）【課題】美観に優れた本型パッケージを提供する。【解決手段】本型パッケージは、パッケージを開く際に移動するように構成された表紙部と、表紙部に連接された少なくとも一つの造花収納部を備えた本文部とを有し、本文部は、複数枚の紙が積層されてなる積層体を含み、造花収納部は、積層体を積層方向にくりぬいて形成されたものである。【選択図】図２
0003159005.tif 000002
【実用新案登録請求の範囲】
【請求項１】
本型のパッケージであって、
複数枚の紙が積層され一辺で綴じられている積層体を有する本文部と、
前記本文部に連なる表紙部であって、当該パッケージを見開く動作に伴って当該本文部の最上面を開放する一方で当該パッケージを閉じる動作に伴って前記最上面を覆うように移動する表表紙を有する表紙部と、を備え、
前記本文部は、前記積層体を積層方向にくりぬくようにして形成された造花収納部を有する、本型のパッケージ。
【請求項２】
前記本文部は、前記綴じられている辺と反対側の辺において前記紙を完全にはめくれないが少しはめくれるようにして綴じる綴じ具を備える、請求項１に記載の本型のパッケージ。
【請求項３】
前記綴じ具は、当該パッケージを開いたときに外部から見えないように前記本体部内に隠蔽されている、請求項２に記載の本型のパッケージ。
【考案の詳細な説明】
【技術分野】
【０００１】
本考案は、本型のパッケージに関するものである。
【背景技術】
【０００２】
近年、結婚式等の祝い事において、記念品として、生花に化学処理を施したプリザーブドフラワー等が選択されることが多い。そのパッケージとしては、花束状のもの、花瓶状のもの、トレイ状のもの等種々の形式のものが存在するが、最も一般的なものとして、箱型のパッケージが挙げられる。
【０００３】
さて、祝い事の記念品等に用いるパッケージは、一般的に種々の装飾的形状を有することが多い。特に、結婚式や誕生日などの人生の節目となるようなイベントでは、その日に至るまでの人生を振り返るような意味合いを込めて、日記のような本型の装飾を施した形状が好んで用いられる（参照：特許文献１）。特許文献１に示すのは、ＣＤ−ＲＯＭ等の記憶媒体を収納する収納凹部を有する本型ケースである。また、プリザーブドフラワー等を収納する収納部を有する本型ボックスも知られている。
【先行技術文献】
【特許文献】
【０００４】
【特許文献１】特開２０００−２６４３８８号公報
【考案の概要】
【考案が解決しようとする課題】
【０００５】
しかしながら、このような従来の本型パッケージは、実際に視認できる本文部（実際の書籍に相当する部分）が、単なる箱型の収納部を画定しているに過ぎず、実際の「本」の印象とはかけ離れていた。また、この箱型の収納部を画定する壁体部分は、積層されたダンボールの断面が露出したものであるので、記念品として用いるにあたってその美観が優れているとは言い難かった。
【０００６】
また、プリザーブドフラワーは保存状態が良ければ長期間の保存が可能であるにも関わらず、ダンボールからなる箱型収納部では、収納したプリザーブドフラワーへの湿気の影響が懸念され得る。
【０００７】
本考案は、本としての雰囲気を保ちつつ、造花を収納することができる本型パッケージを提供することを目的としている。
【課題を解決するための手段】
【０００８】
本考案の本型パッケージは、複数枚の紙が積層され一辺で綴じられている積層体を有する本文部と、本文部に連なる表紙部と、を備え、表紙部は、パッケージを見開く動作に伴って本文部の最上面を開放する一方でパッケージを閉じる動作に伴って最上面を覆うように移動する表表紙を有する。また、本文部は、積層体を積層方向にくりぬくようにして形成された造花収納部を有する。
【０００９】
本考案によれば、本文部の積層体によって一般的な本の雰囲気をかもし出すことができ、しかも、その積層体に造花収納部があるので、造花収納部に造花を収納した場合には、本の中で造花が咲いているかのような雰囲気をかもし出すことができる。このため、造花を収納し得る本型パッケージとして、優れた美観を有するものを提供することができる。また、造花収納部が複数枚の紙の積層体の内部にくりぬかれた空間に存在することで、造花を収納した場合に造花に対する外部よりの湿気の影響も抑制することもできる。
【００１０】
この場合、本文部は、前記綴じられている辺と反対側の辺において前記紙を完全にはめくれないが少しはめくれるようにして綴じる綴じ具を備えることが好ましい。こうすることで、積層された複数枚の紙が不意に完全にめくれて、造花収納部内の造花が傷ついたりこぼれ落ちたりすることを防止できる。一方で、紙が少しめくれるようにして綴じられているため、一般的な本としての雰囲気を向上することができる。
【００１１】
より好ましくは、綴じ具は、パッケージを開いたときに外部から見えないように本体部内に隠蔽されているとよい。こうすることで、綴じ具が外部から見えた場合の美感の低下を防ぐことができる。
【考案の効果】
【００１２】
本考案の本型パッケージによれば、造花を収納しながらも、本としての雰囲気を確保することができる。
【図面の簡単な説明】
【００１３】
【図１】本考案の実施形態に係る本型パッケージの閉じた状態の構成を示す斜視図である。
【図２】図１の本型パッケージの見開き状態の構成を示す斜視図である。
【図３】図１の本型パッケージのページ綴じ構造を示す斜視図である。
【図４】図１の本型パッケージの追加収納構造を示す斜視図である。
【考案を実施するための形態】
【００１４】
以下、添付図面を参照して、本考案の好適な実施形態に係る本型パッケージについて説明する。
【００１５】
図１及び図２は、本型パッケージ１の第一実施形態を示す斜視図である。ここで図１は閉じられた状態を、図２は見開かれた状態を示している。
【００１６】
図１を参照すると、閉じられた状態の本型パッケージ１は、表表紙２、背表紙３、裏表紙４の順に開閉可能に接続された表紙部５を備え、当該表紙部５によって画定された空間に本文部６が設けられている。本実施形態における本文部６は、四つ折の折丁（紙）を背表紙３の高さに応じて複数積層させた積層体を備えるものであり、この平面視四角形である積層体の一辺（のど１０）にてアジロ綴じで綴じられているが、無線綴じや糸綴じ等、その他任意の方法で綴じることができる。
【００１７】
綴じ工程の後、天７及び地７’は、カッター等の断裁手段を用いて積層方向に沿って切り落とされ、滑らかな断面を有している。一方で、小口８に対しては断裁手段による同様の切り落としを行わない。よって、小口８は、アジロ綴じの際に生じた各折丁の位置のずれに起因した複数の細かい段差を表面に呈することとなるが、積層体における当該段差が視認出来ることによって、かえって本型パッケージ１の外観を本物の書籍に近づける事ができる。
【００１８】
表紙部５を形成する表表紙２、背表紙３及び裏表紙４は、各々略５ｍｍ程度の厚みを含む表紙断面１１を有している。本実施形態では、表紙部５は折丁（本文部６）の縦方向長さ（小口８の長さ）及び横方向長さ（天７又は地７’の長さ）に合わせて切り落とされているが、当然にチリを設けて（大きさに余裕を持って）切り落としても良い。このような場合、閉じられた状態の本型パッケージ１はハードカバー（上製本）の書籍と同様の外観を有することとなり、本型パッケージ１を立てて収納するとき、本文部６に対するゴミの付着等を防止することができると共に、地７’及び小口８近辺に通気空間を設けることができる。
【００１９】
本実施形態における表紙部５は、表面に細かな凹凸を有するマーメイド紙を積層形成することで適度な厚みを有しており、表紙部５（特に表表紙２や背表紙３）は、その表面を押圧することによって送り主に対するメッセージ等の文字列を打刻し、表示することを可能にする。表面に対する文字列の表示は、印刷やステッカーの貼付によって行っても良い。
【００２０】
図２を参照すると、本型パッケージ１が、表表紙２及び背表紙３が、裏表紙４と同一平面をなすように見開かれている。ここで、表表紙２及び背表紙３の見開き可能接続部分１２は、見開き動作に対する十分な強度を有するマーメイド紙の積層方向厚みを有する境界線１３まで、少なくとも９０度のＶカット（切り落とし）を行うことで容易に形成できる。本実施形態では、表紙部５の材料として選択されたマーメイド紙が折曲げ動作に対する十分な強度を有しているので、当該Ｖカットの後に残る境界線１３における積層方向厚みがマーメイド紙一枚分であるように切り落としを行うことが可能であり、表紙部５の開閉動作をよりなめらかなものとすることができる。同様に背表紙３及び裏表紙４の接続部分１２'も、境界線１３'まで、同様のＶカットを行うことで容易に形成できる。ここで、開閉時の動作に余裕を持たせるためには、当該Ｖカットの角度が９０度をわずかに超えることが好ましい。
【００２１】
本文部６は、のど１０に相当する一辺（アジロ綴じ部分）を裏表紙部４に対して接着することで固定されているが、強度を担保する目的でこの固定に見返し等の追加的な固定部材を用いても良い。本実施形態では、本文部６が裏表紙４のみと固定されているので、本文部６は、閉じた状態で表表紙２と接触する中表紙１４と、背表紙３と接触する中背表紙１５とを有している。なお、本文部６の積層体を形成する各ページには任意の紙を用いても良いが、中表紙１４及び中背表紙１５としては、表紙部５を積層形成しているのと同色のマーメイド紙を用いている。このことにより、本文部６の積層部分の強度が向上するのみならず、本型パッケージ１を見開いた状態で視認できる表表紙２、背表紙３、中表紙１４、及び中背表紙１５の全てが統一された色や質感を呈することとなる。また、紙繊維自体に色が染み込んでいる色紙を用いて、収納するプリザーブドフラワー等の造花９の色と本文部６及び表紙部５の色とを揃えることで、本型パッケージ１全体に一つの塊としての統一感を与えることも可能である。
【００２２】
本文部６の中心部には、プリザーブドフラワーに代表される造花９を収納するための円柱形にくりぬかれた造花収納部１６が形成されている。この造花収納部１６は、綴じる前の各折丁における造花収納部１６の該当部分を切り抜いた後にそれらを綴じることで形成されており、その造花収納部断面１６'は、小口８と同様に、アジロ綴じの際に生じた各折丁の位置のずれに起因した複数の段差を表面に呈することとなる。そして、この造花収納部１６における段差の存在によって造花収納部断面１６'に陰影が生まれ、プリザーブドフラワー等の造花９を収納した際に当該造花の美観を更に強調し、高める効果が期待できる。
【００２３】
更に、この方法を用いて造花収納部１６形成することで、例えば各折丁における造花収納部の該当部分に対する切り抜き位置を連続的にずらしたり、一部を連続的に変形させたりすることで、複雑な形状の造花収納部１６を形成することが可能となる。また、切り抜く折丁の数を調整することで、中表紙１４からの収納部深さを容易に調整することができるので、収納したい造花９の数や大きさに応じた調整が容易にできる。
【００２４】
他の実施態様として、例えば、各折丁に対して造花収納部１６の該当部分以外の追加的な切り抜き部分を設けることで、別の物品を収納するための追加収納空間を設けてもよい。この追加収納空間は、造花収納部１６と同様に中表紙１４の表面に設けられても良い。あるいは、中表紙１４の表面では追加収納空間の有無を視認できないが、本文部６をめくったときにのみ存在を確認できるような隠し空間であっても良い。例えば、本文部６の内部の隠し空間にオルゴール等を設置し、当該隠し空間上方に伸びる圧力検出スイッチ用の貫通孔を設けることで、表表紙２を開いた瞬間に音楽が流れるような仕組みとすることも可能である。
【００２５】
造花収納部１６は、図１のようにパッケージ１が閉じられた状態においては、その周囲を分厚い本文部６の紙層、上方及び下方を厚い表表紙２及び裏表紙４で取り囲まれているので、その保管時に湿気等が侵入することを防ぎ、収納されているプリザーブドフラワーであってよい造花９の保存状態を良好に保つことができる。
【００２６】
図３は、表紙部５の表表紙２及び背表紙３を見開き、さらに本文部６の最上面である中表紙１４をめくった状態を示す、本型パッケージ１の斜視図である。これまでに説明した通り、本実施形態において、本文部６は、のどにおいてアジロ綴じで綴じられており、実際の書籍の如く容易にページをめくることができる特徴を備えている。しかしながら、造花収納部１６にプリザーブドフラワー等の造花９を収納した状態で本文部６のページが自由に完全にめくれると、造花９の一部がこぼれ落ちたり、本文部６のページ間に挟み込まれて造花が傷ついたりする可能性がある。そこで、本実施形態では、本文部６の小口８に近い部分において、本文部６の全てのページをその積層方向に貫通する貫通孔２０を設け、さらに、一端を裏表紙４に固定し且つ他端を中表紙１４に固定した綴じテープ２１を貫通孔２０に通すことで、そのようなページの「めくれ」（全開のめくれ）を防いでいる。なお、綴じテープ２１の各表紙に対する固定は、タックシール等の接着部位を有するテープを用いることで簡便に行うことが可能である。
【００２７】
図３において示されているように、綴じテープ２１は、本文部６の各ページを完全に開く（めくる）ことはできないまでも僅かにめくることができるように、本文部６の紙を綴じることが望ましい。この場合、例えば、綴じテープ２１として、実際の本文部６の厚さよりも僅かに長い全長（遊び）を有するテープを用い、そのテープをポリプロピレンのような弾性を有する材料で形成することができる。このように、本文部６の小口８側を少しめくれるようにしておくことで、本文部６をより本らしくみせることができる。また、プリザーブドフラワー等の造花９等の優れた芳香効果を有する対象物を造花収納部１６に収納する場合、僅かであっても連続的にページをめくることが可能であれば、その僅かなめくり動作によって、その芳香を拡散させて楽しむことができる。加えて、綴じテープ２１として弾性を有するものを用いることで、綴じテープ２１の表紙に対する固定部分にかかる引張力を緩和することが可能となるので、偶発的に本文部６を大きく開いてしまった場合であっても綴じテープ２１が取れにくくなり、ひいては本型パッケージ１の強度を向上させる。
【００２８】
また、表示部５を見開いた状態において、中表紙１４等によって隠蔽されている綴じテープ２１は外部から視認されないようにも構成されている。これにより、見開かれたパッケージ１の美感を向上することができている。
【００２９】
なお、図３において示した本実施形態では、貫通孔２０の方向が積層方向と同一であったが、別の実施態様では、中表紙１４に固定する部分がよりのど１０に近くなる（小口８から離れる）ように貫通孔２０を斜めに形成することもできる。こうすれば、本文部６において、中表紙１４の表面近くでのみページを大きくめくることも可能となる。また、綴じテープ２１は適度な強度が保たれればポリプロピレン製である必要はなく、任意の弾性材料を用いれば良い。さらに、綴じ具はテープに限られず、紐などを用いることも可能である。また、図３では、本文部６の天７に近い位置に設けられた貫通孔２０及び綴じテープ２１のみを示しているが、地７'に近い位置に追加的な貫通孔及び綴じテープを設けてもよい。
【００３０】
図４は、表表紙２内部に設けられた薄型収納空間２２を示す斜視図である。薄型収納空間２２は、平面的な物品を収納するためのものである。本実施形態では、薄型収納空間２２は、そのような物品を収納するために、ディスク収納部２３と写真収納部２４とを表表紙２の厚み方向に連続するように有している。ディスク収納部２３にＤＶＤ等のディスクメディアを、写真収納部２４に写真やカード等の紙媒体を別個に又は同時に収納することができる。
【００３１】
ここで表表紙２は、外側から、表面層３０、ディスク収納層３１、写真収納層３２、及び窓層３３の４層が積層されて形成されており、各層をマーメイド紙によって合紙した後に、ディスク収納層３１、写真収納層３２、及び窓層３３において必要とされる空間部分を型抜きしてから張り合わせて形成される。窓層３３の中心部に切抜き窓２６を設けたことで、表紙部５を見開いたときに写真収納部２４に収納した写真やメッセージカードの内容を容易に視認することができる。
【００３２】
他の実施態様では、薄型収納空間２２は、ディスク収納部２３及び写真収納部２４の何れかのみで形成しても良く、その場合、表表紙２は３層構造となる。例えば、ディスク収納部２３のみが設けられる場合には、収納するディスクの径を勘案して、収納したディスクメディアが脱落しないように、窓層３３の切り抜き窓２６の大きさを決定すれば良い。
【００３３】
以上説明した通り、本考案の本型パッケージによれば、本文部の積層体の存在によって本の雰囲気を失わず、優れた美観を有する本型パッケージを提供することができる。また、造花収納部が複数枚の紙の積層体の内部にくりぬかれた空間に存在することで、造花を収納した場合に造花に対する外部よりの湿気の影響も抑制することもできる。本文部は、綴じられている辺と反対側の辺において紙が少しはめくれるようにして綴じられており、積層された複数枚の紙が不意に完全にめくれて、造花収納部内の造花が傷ついたりこぼれ落ちたりすることを防止できる。更には、綴じ具は、パッケージを開いたときに外部から見えないように本体部内に隠蔽されており、綴じ具が外部から見えた場合の美感の低下を防ぐことができる。
【符号の説明】
【００３４】
１：本型パッケージ、２：表表紙、３：背表紙、４：裏表紙、５：表紙部、６：本文部、７：天、７’：地、８：小口、９：造花、１０：のど、１１：表紙断面、１４：中表紙、１５：中背表紙、１６：造花収納部、１６'：造花収納部断面、２０：貫通孔、２１：綴じテープ、２２：薄型収納空間、２３：ディスク収納部、２４：写真収納部、２６：切り抜き窓、３０：表面層、３１：ディスク収納層、３２：写真収納層、３３：窓層
【図１】
0003159005.tif 000003
【図２】
0003159005.tif 000004
【図３】
0003159005.tif 000005
【図４】
0003159005.tif 000006
【手続補正書】
【提出日】平成22年2月25日(2010.2.25)
【手続補正２】
【補正対象書類名】実用新案登録請求の範囲
【補正対象項目名】全文
【補正方法】変更
【補正の内容】
【実用新案登録請求の範囲】
【請求項１】
本型のパッケージであって、
複数枚の紙が積層され一辺で綴じられている積層体を有する本文部と、
前記本文部に連なる表紙部であって、当該パッケージを見開く動作に伴って当該本文部の最上面を開放する一方で当該パッケージを閉じる動作に伴って前記最上面を覆うように移動する表表紙を有する表紙部と、を備え、
前記本文部は、前記積層体を積層方向にくりぬくようにして形成された造花収納部を有する、本型パッケージ。
【請求項２】
前記本文部は、綴じられている前記一辺と反対側の辺において前記紙を完全にはめくれないが少しはめくれるようにして綴じる綴じ具を備える、請求項１に記載の本型のパッケージ。
【請求項３】
前記綴じ具は、当該パッケージを開いたときに外部から見えないように前記本文部内に隠蔽されている、請求項２に記載の本型のパッケージ。